【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】  下式（Ｉ）
【化１】
2001510196.tif 000001
（上式中、Ｒ1 ，Ｒ2 ，Ｒ3 ，Ｒ4 ，Ｒ5 およびＲ6 は同一または互いに異なり、場合によっては置換された直鎖、分枝鎖、または環状の、飽和あるいは不飽和炭化水素基より選択され、
Ｒ7 は２価の結合基または、場合によっては置換された直鎖、分枝鎖もしくは環状の、飽和あるいは不飽和炭化水素基であり、及び
ｎは０またはそれより大きい）
の珪素含有ジオールを含む連鎖延長剤。
【請求項２】  Ｒ1 ，Ｒ2 ，Ｒ3 、及びＲ4 が同一または互いに異なり、アルキル、アルケニル、アルキニル、アリールまたは複素環ラジカルより選ばれる、請求項１に記載の連鎖延長剤。
【請求項３】  前記アルキルラジカルが直鎖、分枝鎖、または単環もしくは多環式アルキルラジカルを含む請求項２に記載の連鎖延長剤。
【請求項４】  前記アルキルラジカルがメチル、エチル、プロピル、イソプロピル、ブチル、イソブチル、ｓｅｃ−ブチル、アミル、イソアミル、ｓｅｃ−アミル、１，２−ジメチルプロピル、１，１−ジメチルプロピル、ペンチル、ヘキシル、４−メチルペンチル、１−メチルペンチル、２−メチルペンチル、３−メチルペンチル、１，１−ジメチルブチル、２，２−ジメチルブチル、３，３−ジメチルブチル、１，２−ジメチルブチル、１，３−ジメチルブチル、１，２，２−トリメチルプロピル、１，１，２−トリメチルプロピル、ヘプチル、５−メチルヘキシル、１−メチルヘキシル、２，２−ジメチルペンチル、３，３−ジメチルペンチル、４，４−ジメチルペンチル、１，２−ジメチルペンチル、１，３−ジメチルペンチル、１，４−ジメチルペンチル、１，２，３−トリメチルブチル、１，１，２−トリメチルブチル、１，１，３−トリメチルブチル、オクチル、６−メチルヘプチル、１−メチルヘプチル、１，１，３，３−テトラメチルブチル、ノニル、１−，２−，３−，４−，５−，６−または７−メチルオクチル、１−，２−、３−、４−または５−エチルヘプチル、１−、２−または３−プロピルヘキシル、デシル、１−、２−、３−、４−、５−、６−、７−及び８−メチルノニル、１−，２−、３−、４−、５−または６−エチルオクチル、１−、２−、３−または４−プロピルヘプチル、ウンデシル１−、２−、３−、４−、５−、６−、７−、８−または９−メチルデシル、１−、２−、３−、４−、５−、６−または７−エチルノニル、１−、２−、３−、４−または５−プロピルオクチル、１−、２−または３−ブチルヘプチル、１−ペンチルヘキシル、ドデシル、１−、２−、３−、４−、５−、６−、７−、８−、９−または１０−メチルウンデシル、１−、２−、３−、４−、５−、６−、７−または８−エチルデシル、１−、２−、３−、４−、５−または６−プロピルノニル、１−、２−、３−または４−ブチルオクチル、１，２−ペンチルヘプチル、シクロプロピル、シクロブチル、シクロペンチル、シクロヘキシル、シクロヘプチル、シクロオクチル、シクロノニルおよびシクロデシルより選択される請求項３に記載の連鎖延長剤。
【請求項５】  前記アルケニルラジカルが直鎖、分枝鎖、または単環もしくは多環式アルケンより形成される基を含む、請求項２〜４のいずれか１項に記載の連鎖延長剤。
【請求項６】  前記アルケニルラジカルがビニル、アリル、１−メチルビニル、ブテニル、イソ−ブテニル、３−メチル−２−ブテニル、１−ペンテニル、シクロペンテニル、１−メチル−シクロペンテニル、１−ヘキセニル、３−ヘキセニル、シクロヘキセニル、１−ヘプテニル、３−ヘプテニル、１−オクテニル、シクロオクテニル、１−ノネニル、２−ノネニル、３−ノネニル、１−デセニル、３−デセニル、１，３−ブタジエニル、１，４−ペンタジエニル、１，３−シクロペンタジエニル、１，３−ヘキサジエニル、１，４−ヘキサジエニル、１，３−シクロヘキサジエニル、１，４−シクロヘキサジエニル、１，３−シクロヘプタジエニル、１，３，５−シクロヘプタトリエニル及び１，３，５，７−シクロオクタ−テトラエニルを含む、請求項５に記載の連鎖延長剤。
【請求項７】  前記アルキニルラジカルが直鎖、分枝鎖、または単環もしくは多環式アルケンより形成される基を含む、請求項２〜６のいずれか１項に記載の連鎖延長剤。
【請求項８】  前記アルキニルラジカルがエチニル、１−プロピニル、１−及び２−ブチニル、２−メチル−２−プロピニル、２−ペンチニル、３−ペンチニル、４−ペンチニル、２−ヘキシニル、３−ヘキシニル、４−ヘキシニル、５−ヘキシニル、１０−ウンデシニル、４−エチル−１−オクチン−３−イル、７−ドデシニル、９−ドデシニル、１０−ドデシニル、３−メチル−１−ドデシン−３−イル、２−トリデシニル、１１−トリデシニル、３−テトラデシニル、７−ヘキサデシニル及び３−オクタデシニルを含む、請求項７に記載の連鎖延長剤。
【請求項９】  前記アリールラジカルが芳香族炭化水素の単一の多核、共役および縮合残基を含む、請求項２〜８のいずれか１項に記載の連鎖延長剤。
【請求項１０】  前記アリールラジカルがフェニル、ビフェニル、テーフェニル、クォーターフェニル、フェノキシフェニル、ナフチル、テトラヒドロナフチル、アントラセニル、ジヒドロアントラセニル、ベンズアントラセニル、ジベンズアントラセニル及びフェナアントレニルを含む、請求項９に記載の連鎖延長剤。
【請求項１１】  前記複素環ラジカルが、窒素、硫黄及び酸素から選択されるヘテロ原子を少なくとも１つ含む単環もしくは多環式複素環基を含む、請求項２〜１０のいずれか１項に記載の連鎖延長剤。
【請求項１２】  前記複素環ラジカルが、Ｎ−含有複素環式基；１〜４個の窒素原子を含む飽和型の３〜６員環型複素単環式基；１〜５個の窒素原子を含む不飽和型の縮合複素環式基；酸素原子を含む不飽和型３〜６員環型複素単環式基；１〜２個の硫黄原子を含む不飽和型の３〜６員環型複素単環式基；１〜２個の酸素原子と１〜３個の窒素原子を含む不飽和型３〜６員環型複素単環式基；１〜２個の酸素原子と１〜３個の窒素原子を含む、飽和型の３〜６員環型複素単環式基；１〜２個の酸素原子と１〜３個の窒素原子を含む不飽和型、縮合複素環式基；１〜２個の硫黄原子及び、１〜３個の窒素原子を含む不飽和型の３〜６員環型複素単環式基；１〜２個の硫黄原子、および１〜３個の窒素原子を含む飽和型の３〜６員環型複素単環式基；及び１〜２個の硫黄原子、及び１〜３個の窒素原子を含む不飽和型、縮合複素環式基を含む、請求項１１に記載の連鎖延長剤。
【請求項１３】  Ｒ5 ，Ｒ6 およびＲ7 が同一または相互に異なり、アルキレン、アルケニレン、アルキニレン、アリールまたは複素環式ラジカルより選択される、請求項１〜１２のいずれか１項に記載の連鎖延長剤。
【請求項１４】  前記アルケニレンラジカルが、請求項３または４に記載のアルキルラジカルに相当するアルケニレンである請求項１３に記載の連鎖延長剤。
【請求項１５】  前記アルケニレンラジカルが、請求項５または６に記載のアルケニルラジカルに相当するアルケニレンである請求項１３に記載の連鎖延長剤。
【請求項１６】  前記アルキニレンラジカルが、請求項７または８に記載のアルキニルラジカルに相当するアルキニレンである請求項１３に記載の連鎖延長剤。
【請求項１７】  前記アリールラジカルが、芳香族炭化水素の単一の多環式、共役、縮合残基を含む、請求項１３に記載の連鎖延長剤。
【請求項１８】  前記アリール残基がフェニル、ビフェニル、ターフェニル、クォーターフェニル、フェノキシフェニル、ナフチル、テトラヒドロナフチル、アントラセニル、ジヒドロアントラセニル、ベンズアントラセニル、ジベンズアントラセニル及びフェナアントレニルを含む、請求項１７に記載の連鎖延長剤。
【請求項１９】  前記複素環式ラジカルが、窒素、硫黄および酸素から選択される少なくとも１個のヘテロ原子を含む単環または多環式複素環式基を含む、請求項１３に記載の連鎖延長剤。
【請求項２０】  前記複素環式ラジカルが、Ｎ−含有複素環式基；１〜４個の窒素原子を含む、不飽和型の３〜６員環型の複素単環基；１〜４個の窒素原子を含む飽和型の３〜６員環型複素単環式基；１〜５個の窒素原子を含む不飽和型の縮合複素環式基；酸素原子を含む不飽和型３〜６員環型複素単環式基；１〜２個の硫黄原子を含む不飽和型の３〜６員環型複素単環式基；１〜２個の酸素原子と１〜３個の窒素原子を含む不飽和型３〜６員環型複素単環式基；１〜２個の酸素原子と１〜３個の窒素原子を含む、飽和型の３〜６員環型複素単環式基；１〜２個の酸素原子と１〜３個の窒素原子を含む不飽和型、縮合複素環式基；１〜２個の硫黄原子及び、１〜３個の窒素原子を含む不飽和型の３〜６員環型複素単環式基；１〜２個の硫黄原子、および１〜３個の窒素原子を含む飽和型の３〜６員環型複素単環式基；及び１〜２個の硫黄原子、及び１〜３個の窒素原子を含む不飽和型、縮合複素環式基を含む、請求項１９に記載の連鎖延長剤。
【請求項２１】  Ｒ7 が、Ｏ，ＳおよびＮＲより選択される２価の結合基であり、このＲが水素または場合により置換された直鎖、分枝鎖または環式の飽和型あるいは不飽和型の炭化水素ラジカルである、請求項１〜２０のいずれか１項に記載の連鎖延長剤。
【請求項２２】  前記の場合により置換されるラジカルが、酸素、窒素、硫黄、アルキル、アルケニル、アルキニル、アリール、ハロ、ハロアルキル、ハロアルケニル、ハロアルキニル、ハロアリール、ヒドロキシ、アルコキシ、アルケニルオキシ、アルキニルオキシ、アリールオキシ、カルボキシ、ベンジルオキシ、ハロアルコキシ、ハロアルケニルオキシ、ハロアルキニルオキシ、ハロアリールオキシ、ニトロ、ニトロアルキル、ニトロアルケニル、ニトロアルキニル、ニトロアリール、ニトロヘテロシクリル、アジド、アミノ、アルキルアミノ、アルケニルアミノ、アルキニルアミノ、アリールアミノ、ベンジルアミノ、アシル、アルケニルアシル、アルキニルアシル、アリールアシル、アシルアミノ、アシルオキシ、アルデヒド、アルキルスルホニル、アリールスルホニル、アリキルスルホニルアミノ、アリールスルホニルアミノ、アルキルスルホニルオキシ、アリールスルホニルオキシ、ヘテロシクリル、ヘテロシクルオキシ、ヘテロシクリルアミノ、ハロヘテロシクリル、アルキルスルフェニル、アリールスルフェニル、カルボアルコキシ、カルボアリールオキシ、メルカプト、アルキルチオ、アリールチオ及びアシルチオより選択される１またはそれ以上の基で置換される、前記請求項１〜２１のいずれか１項に記載の連鎖延長剤。
【請求項２３】  前記珪素含有ジオールが１，３−ビス（４−ヒドロキシブチル）テトラメチルジシロキサンまたは１，４−ビス（３−ヒドロキシプロピル）テトラメチルジシリルエチレンおよび１−４−ビス（３−ヒドロキシプロピル）テトラメチルジシロキサンである、前記請求項１〜２２のいずれか１項に記載の連鎖延長剤。
【請求項２４】  少なくとも１種の他の連鎖延長剤をさらに含む、前記請求項１〜２３のいずれか１項に記載の連鎖延長剤。
【請求項２５】  前記少なくとも１種の他の連鎖延長剤が１，４−ブタンジオール、１，６−ヘキサンジオール、１，８−オクタンジオール、１，９−ノナンジオール、１，１０−デカンジオール、１，１２−ドデカンジオール、１，４−シクロヘキサンジメタノール、ｐ−キシレングリコール及び１，４−ビス（２−ヒドロキシエトキシ）ベンゼンより選択される、請求項２４に記載の連鎖延長剤。
【請求項２６】  前記珪素含有ジオールが、１〜５０モル％の量で連鎖延長剤中に存在している、請求項２５または２６に記載の連鎖延長剤。
【請求項２７】  ｎが２以下である、請求項１〜２６のいずれか１項に記載の連鎖延長剤。
【請求項２８】  下式（Ｉ）
【化２】
2001510196.tif 000002
（上式中、Ｒ1 ，Ｒ2 ，Ｒ3 ，Ｒ4 ，Ｒ5 およびＲ6 は同一または互いに異なり、場合によっては置換された直鎖、分枝鎖または環状の、飽和または不飽和炭化水素基より選択され、
Ｒ7 はエチレンであり、そして
ｎは０またはそれより大きい）
の珪素含有ジオール。
【請求項２９】  ｎが２以下である、請求項２８に記載の珪素含有ジオール。
【請求項３０】  請求項１〜２７のいずれか１項に記載の連鎖延長剤より誘導されるセグメントを含むポリウレタン組成物。
【請求項３１】  （ｉ）ソフトセグメントマクロジオール；
（ｉｉ）ジイソシアネート；及び
（ｉｉｉ）請求項１〜２７のいずれか１項に記載の連鎖延長剤
の反応生成物を含むポリウレタン組成物。
【請求項３２】  前記ソフトセグメントマクロジオールがポリエーテル、ポリエステル、ポリシロキサン、ポリカーボネートあるいはこれらの混合物より選択される、請求項３１に記載のポリウレタン組成物。
【請求項３３】  前記ソフトセグメントマクロジオールがポリシロキサンマクロジオール及びポリエーテルマクロジオールより形成される、請求項３２に記載のポリウレタン組成物。
【請求項３４】  前記ソフトセグメントマクロジオールが、分子量が２００〜５０００の範囲にあるポリシロキサンマクロジオールを含む請求項３２に記載のポリウレタン組成物。
【請求項３５】  前記マクロジオールの分子量が３００〜３０００の範囲にある、請求項３３に記載のポリウレタン組成物。
【請求項３６】  前記ソフトセグメントマクロジオールがポリジメチルシロキサンより得られる請求項３２、３４または３５に記載のポリウレタン組成物。
【請求項３７】  前記ソフトセグメントジオールが、下式（II）
【化３】
2001510196.tif 000003
（上式中、ｍは４以上の整数であり、
ｎは２〜５０の整数である）
のポリエーテルマクロジオールを含む、請求項３２に記載のポリウレタン組成物。
【請求項３８】  ｍが５〜１８である請求項３７に記載のポリウレタン組成物。
【請求項３９】  ポリエーテルマクロジオールの分子量が、約２００〜約５０００である請求項３７または３８に記載のポリウレタン組成物。
【請求項４０】  ポリエーテルマクロジオールの分子量が約２００〜約１２００である請求項３９に記載のポリウレタン組成物。
【請求項４１】  ジイソシアネートが４，４’−メチレンジフェニルジイソシアネート（ＭＤＩ）、メチレンビス（シクロヘキシル）ジイソシアネート（Ｈ１２ＭＤＩ）、ｐ−フェニレンジイソシアネート（ｐ−ＰＤＩ）、トランス−シクロヘキサン−１、４−ジイソシアネート（ＣＨＤＩ）またはシス及びトランス異性体の混合物、１，６−ヘキサメチレンジイソシアネート（ＤＩＣＨ）、２，４−トルエンジイソシアネート（２，４−ＴＤＩ）またはその異性体あるいはその混合物、ｐ−テトラメチルキシレンジイソシアネート（ｐ−ＴＭＸＤＩ）及びｍ−テトラメチルキシレンジイソシアネート（ｍ−ＴＭＸＤＩ）の１種以上より選択される、請求項３１〜３２のいずれか１項に記載のポリウレタン組成物。
【請求項４２】  （ｉ）以下を含むマクロジオール：
（ａ）ポリシロキサンマクロジオール；及び
（ｂ）ポリエーテルマクロジオール；
（ｉｉ）ＭＤＩ；及び
（ｉｉｉ）１，４−ブタンジオール、及び１，３−ビス（４−ヒドロキシブチル）テトラメチルジシロキサンおよび１，４−ビス（３−ヒドロキシプロピル）テトラメチルジシルイルエチレン、および１−４−ビス（３−ヒドロキシプロピル）テトラメチルジシロキサンより選択される珪素含有連鎖延長剤を含む連鎖延長剤組成物
の反応生成物を含むポリウレタン組成物。
【請求項４３】  連鎖延長剤組成物の約４０モル％量の珪素含有連鎖延長剤が存在する、請求項４２に記載のポリウレタン組成物。
【請求項４４】  組成物中の（ジイソシアネート＋連鎖延長剤）重量％が２０〜６０重量％である、請求項３１〜４３のいずれか１項に記載のポリウレタン組成物。
【請求項４５】  ポリエーテルに対するポリシロキサンの重量比が１：９９〜９９：１である、請求項４２に記載のポリウレタン組成物。
【請求項４６】  ポリエーテルに対するポリシロキサンの重量比が約８０：２０である、請求項４５に記載のポリウレタン組成物。
【請求項４７】  請求項３１〜４６のいずれか１項に記載のポリウレタン組成物を含む生体材料。
【請求項４８】  請求項３１〜４６のいずれか１項に記載のポリウレタン組成物の全部または一部を含む医療用装置、用具またはインプラント。
【請求項４９】  医療装置、用具またはインプラントが心臓ペースメーカー、除細動装置及びその他の電子医療装置、カテーテル、カニューレ、移植用義歯、心臓補助装置、心臓弁、移植血管、ステント、体外装置、人工臓器、ペースメーカー電極、除細動装置電極、血液ポンプ、バルーンポンプ、Ａ−Ｖシャント、バイオセンサー、細胞封入用メンブレン、ドラッグデリバリーシステム、創傷用包帯、人工関節、整形外科用インプラントおよび柔組織交換体より選択される、請求項４８に記載の医療装置、用具またはインプラント。
【請求項５０】  前記場合により置換されるラジカルが１以上のハロゲンにより置換されている、請求項１〜２２のいずれか１項に記載の連鎖延長剤。
【請求項５１】  前記ハロゲンがフッ素である、請求項５１記載の連鎖延長剤。
【請求項５２】  請求項３１〜４６のいずれか１項に記載のポリウレタン組成物を含む、機械特性、透明性、加工性及び／又は耐分解性が向上した材料。
【請求項５３】  請求項３１〜４６のいずれか１項に記載のポリウレタン組成物を含む耐分解性材料。
【請求項５４】  前記材料が生体内耐分解性である、請求項５３記載の耐分解性材料。
【請求項５５】  請求項３１〜４６のいずれか１項に記載のポリウレタン組成物のみで構成された又は一部構成された装置、用具またはインプラント。
【請求項５６】  人工皮革、靴底、ケーブル外被、ワニス及びコーティング、ポンプもしくは車両用の構造部材、採鉱スクリーン、コンベアベルト、積層化合物、繊維製品、分離膜、シーラント、又は接着剤より選ばれる、請求項５５記載の装置、用具またはインプラント。
【手続補正２】
【補正対象書類名】明細書
【補正対象項目名】００１６
【補正方法】変更
【補正の内容】
【００１６】
本明細書に於いては、”場合により置換された”とは、基が、酸素、窒素、硫黄、アルキル、アルケニル、アルキニル、アリール、ハロ、ハロアルキル、ハロアルケニル、ハロアルキニル、ハロアリール、ヒドロキシ、アルコキシ、アルケニルオキシ、アルキニルオキシ、アリールオキシ、カルボキシ、ベンジルオキシ、ハロアルコキシ、ハロアルケニルオキシ、ハロアルキニルオキシ、ハロアリールオキシ、ニトロ、ニトロアルキル、ニトロアルケニル、ニトロアルキニル、ニトロアリール、ニトロヘテロシクロイル、アジド、アミノ、アルキルアミノ、アルケニルアミノ、アルキニルアミノ、アリールアミノ、ベンジルアミノ、アシル、アルケニルアシル、アルキニルアシル、アリールアシル、アシルアミノ、アシルオキシ、アルデヒド、アルキルスルホニル、アリールスルホニル、アリキルスルホニルアミノ、アリールスルホニルアミノ、アルキルスルホニルオキシ、アリールスルホニルオキシ、ヘテロシクリル、ヘテロシクルオキシ、ヘテロシクリルアミノ、ハロヘテロシクリル、アルキルスルフェニル、アリールスルフェニル、カルボアルコキシ、カルボアリールオキシ、メルカプト、アルキルチオ、アリールチオ、アシルチオ等より選択される１またはそれ以上の基によりさらに置換され、または置換されていないことを示す。
ここで”ハロ”は、フルオロ、クロロ、ブロモもしくはヨード、好ましくはフルオロを示す。好適なフルオロ基の例は、トリフルオロプロピル、ペンタフルオロブチル及びヘプタフルオロプロピルを含む。
【手続補正３】
【補正対象書類名】明細書
【補正対象項目名】００２２
【補正方法】変更
【補正の内容】
【００２２】
本発明の連鎖延長剤および連鎖延長剤組成物は、ポリウレタンエラストマー組成物の調製に特に有用である。
本発明のさらに別の観点によれば、上記連鎖延長剤組成物または連鎖延長剤より誘導されるセグメントを含むポリウレタンエラストマー組成物を提供する。
本発明のポリウレタンエラストマー組成物は、好適な公知技術により調製されるだろう。好ましい方法は、連鎖延長剤または連鎖延長剤組成物とソフトセグメントマクロジオールとを混合し、さらにこの混合物とジイソシアネートとの反応が含まれる。最初の成分は約４５〜約１００℃の範囲内の温度で混合することが好ましく、より好ましくは約６０〜約８０℃である。必要に応じて、全成分をベースにて約０．００１〜０．５重量％のジブチル錫ジラウレートを初期混合物に加える。混合は通常の装置内で行うか、または反応押し出し装置または連続反応注入成形機内で行う。
【手続補正４】
【補正対象書類名】明細書
【補正対象項目名】００２５
【補正方法】変更
【補正の内容】
【００２５】
好適なポリシロキサンはポリジメチルシロキサン（ＰＤＭＳ）である。ポリシロキサンマクロジオールは、シンエツ社（Ｓｈｉｎ Ｅｔｓｕ）のＸ−２２−１６０ＡＳの様な市販品として得ることができ、あるいは公知方法7 により調製されるであろう。ポリシロキサンマクロジオールの好ましい分子量域は約２００〜約５０００であり、より好ましくは約３００〜約３０００である。
【手続補正５】
【補正対象書類名】明細書
【補正対象項目名】００２８
【補正方法】変更
【補正の内容】
【００２８】
式中ｍは４またはそれ以上の整数であり、好ましくは５〜１８であり；またｎは２〜５０の整数である。
ＰＴＭＯの様な通常のポリエーテルマクロジオールを利用することができるが、より好ましいマクロジオールおよびその調整体はＧｕｎａｔｉｌｌａｋｅら8 及び米国特許第５４０３９１２号に記載されている。これら参照に記載されているＰＨＭＯの様なポリエーテルはＰＴＭＯに比べ疎水性であり、よりポリシロキサンマクロジオールと適合する。ポリエーテルマクロジオールの好ましい分子量域は約２００〜５０００であり、より好ましくは約２００〜約１２００である。
【手続補正６】
【補正対象書類名】明細書
【補正対象項目名】００２９
【補正方法】変更
【補正の内容】
【００２９】
好ましくはジイソシアネートは、４，４’−メチレンジフェニルジイソシアネート（ＭＤＩ）、メチレンビス（シクロヘキシル）ジイソシアネート（Ｈ１２ＭＤＩ）、ｐ−フェニレンジイソシアネート（ｐ−ＰＤＩ）、トランス−シクロヘキサン−１、４−ジイソシアネート（ＣＨＤＩ）またはシス及びトランスイソマーの混合物、１，６−ヘキサメチレンジイソシアネート（ＤＩＣＨ）、２，４−トルエンジイソシアネート（２，４−ＴＤＩ）またはそのイソマー、またはその混合物、ｐ−テトラメチルキシレン、ジイソシアネート（ｐ−ＴＭＸＤＩ）及びｍ−テトラメチルキシレンジイソシナネート（ｍ−ＴＭＸＤＩ）の１種以上より選択される。ＭＤＩが特に好ましい。
【手続補正７】
【補正対象書類名】明細書
【補正対象項目名】００３９
【補正方法】変更
【補正の内容】
【００３９】
従って、ポリウレタンエラストマー組成物は医療装置、用具またはインプラントの製造に有用である。
即ち、本発明はさらに上記ポリウレタンエラストマー組成物の全部または一部を含む医療装置、用具またはインプラントも提供する。
医療装置、用具またはインプラントには心臓ペースメーカー、除細動装置およびその他の電子医療装置、カテーテル、カニューレ、移植可能な義歯、心臓補助装置、心臓弁、移植用血管、体外装置、人工臓器、ペースメーカー電極、除細動装置電極、血液ポンプ、バルーンポンプ、Ａ−Ｖシャント、バイオセンサー、細胞封入用メンブレン、ドラッグデリバリーシステム、創傷用包帯、人工関節、整形外科用インプラト、柔組織交換体、眼内レンズ、光学デバイス、組織工学製品、及びＥＮＴインプラントが含まれる。